(57)【要約】【目的】始端が外層表面に固着されたロール紙の前処理用として、係るロール紙の外層部をその幅方向に沿って確実に切断することのできる装置を提供する。【構成】係るロール紙Ｒを回転させる昇降台１と、ロール紙Ｒの幅方向に移動しながらその外層部を切断するカッタヘッド６とを備える。カッタヘッド６は、カッタブレード２５を取り付けるブレード取付部２６と、その下部に設けられる篦状の滑走板２７と、その隣接位置に配される癖付部材３２とを備える。滑走板２７は巻戻方向に回転されるロール紙Ｒの外層側縁部に先端部２７Ａを摺接させ、これをロール紙の始端Ｓ位置からその最外層Ｒ１下に挿入させる。カッタヘッド６は、ロール紙Ｒに対する滑走板２７の挿入後にロール紙Ｒの幅方向に移動しながら、カッタブレード２５でロール紙Ｒの外層部を切断し、このときロール紙Ｒの巻戻方向側の切断縁Ｃが癖付部材３２にてロール紙Ｒの外層表面上に立ち上げられる。【選択図】図３
2005349482.tif 000002
【特許請求の範囲】
【請求項１】
始端が少なくともその側縁部を除いて外層表面に固着されているロール紙の外層部をその幅方向に切断するロール紙の切断解紙装置において、前記ロール紙を回転させるロール紙回転手段と、このロール紙回転手段により巻取方向とは逆の巻戻方向に回転される前記ロール紙の外層側縁部に先端部を摺接させて該先端部が前記ロール紙の始端位置からその最外層下に挿入される篦状の滑走板を有して前記ロール紙の幅方向に移動可能に設けられるカッタヘッドと、前記滑走板の先端部上に差し掛かったロール紙を検出して前記ロール紙回転手段を停止させるためのセンサとを備え、前記カッタヘッドは滑走板の先端部より後方にカッタブレードを配するためのブレード取付部を有して前記ロール紙回転手段の停止後に滑走板の先端部がロール紙の最外層下に挿入された状態のままロール紙の幅方向に移動して前記滑走板の先端部後方に配されたカッタブレードでロール紙の外層部を切断することを特徴とするロール紙の切断解紙装置。
【請求項２】
前記滑走板はその先端部より後方に隆起部を有し、前記カッタヘッドには前記カッタブレードによるロール紙の巻戻方向側の切断縁を前記隆起部との間に挟み込んでその切断縁をロール紙の外層表面上に立ち上げる癖付部材が設けられることを特徴とする請求項１記載のロール紙の切断解紙装置。
【請求項３】
前記滑走板が導電性を有すると共に、前記センサは滑走板の先端部に接触する通電用の接触子を有した接触型であって、その接触子が滑走板の先端部上に差し掛かったロール紙により撓められて滑走板から離間するような弾力性を有していることを特徴とする請求項１記載のロール紙の切断解紙装置。
【請求項４】
前記ロール紙の外層側縁部に加圧接触されて前記滑走板の先端部がロール紙の最外層下に挿入される前にロール紙の始端側縁部を捲り上げる始端捌き手段を備えることを特徴とする請求項１記載のロール紙の切断解紙装置。
【発明の詳細な説明】
【技術分野】
【０００１】
本発明は、始端が粘着テープなどによって外層表面に固着されているロール紙を解き、その巻き戻し（繰り出し）を可能にするための装置に関する。
【背景技術】
【０００２】
一般に、新聞や書籍類などを大量生産する場合の印刷用原反と成すロール紙は、図１０（Ａ）のように始端Ｓがその側縁部を除いて粘着テープＴ１などで外層表面に固着されているので、使用に際しては仕立処理と呼ばれる前処理が施される。
【０００３】
係る前処理は、図１０のようにロール紙Ｒの幅方向に沿ってその外層部に切れ目Ｌを入れる第１工程（Ｂ）、切れ目Ｌの位置を繰出端として適当量を繰り出し、その繰出部分を再度切断して粘着テープＴ１を含む汚損部分Ｄを切除する第２工程（Ｃ）、汚損部分Ｄが切除されたロール紙の繰出端に切り目が付与されたタブＴ２を突出状態に貼付する第３工程（Ｄ）、その繰出端に沿ってタブＴ２の一端部上に両面テープＴ３を貼付する第４工程（Ｅ）、及び繰出部分を巻き取ってタブＴ２の一端をロール紙の外層表面に接着せしめる第５工程（Ｆ）から成る。
【０００４】
そして、以上のような前処理が施されたロール紙によれば、供給中の紙の残量が無くなる直前に、これを次に給紙するロール紙の両面テープＴ３に粘着せしめて紙継ぎ行って給紙を中断することなく新たなロール紙から給紙を継続することができる。
【０００５】
ここで、粘着テープＴ１などにより始端Ｓが固着された状態のロール紙Ｒを繰出可能に解く上記の第１工程（解紙工程）として、ロール紙（巻取紙）の始端側縁部よりその内側に空隙形成部材を潜り込ませてロール紙の側端面にカッタ誘導口を形成した後、そのカッタ誘導口に、誘導部と切断刃部とを備えたカッタ部材を挿入し、これをロール紙の幅方向に移動させることが行われている（例えば、特許文献１）。
【０００６】
【特許文献１】特許第２７８９００３号公報（特許請求の範囲、図１〜図１０）
【発明の開示】
【発明が解決しようとする課題】
【０００７】
然し乍ら、特許文献１によればロール紙の側端面にカッタ誘導口を形成するべく、空隙形成部材に膨出部分（空隙形成作用部）を形成しているため、強固に巻かれたロール紙に対して空隙形成部材を潜り込ませることが難しく、その潜り込みが確実に行われるよう膨出部分の高さを小さく設定するとカッタ誘導口の開口度も小さくので、係る誘導口にカッタ部材を挿入できなくなる虞れがある。特に、膨出部分の存在により、係る空隙形成部材が潜り込んだ位置でロール紙の側縁部が破断されつつ繰り出されてカッタ誘導口が形成されなくなる虞れもある。
【０００８】
又、カッタ部材によるロール紙の切断部分は、カッタ部材の通過後に静電気などの作用で内層側の表面に密着してしまうので、係るロール紙を切断部分から繰り出すことが困難になる。つまり、図１０（Ｂ）の状態から図１０（Ｃ）の状態への移行が難しく、ロール紙の前処理が全体として円滑に行われなくなる虞れがある。
【０００９】
又、ロール紙に対する空隙形成部材の潜り込みを光電管により検出するようにしているので、塵埃などの影響で誤検出する虞れがある。
【００１０】
更に、特許文献１では、空隙形成部材をロール紙内に潜り込ませるため、ロール紙の始端側縁部に圧縮空気を吹き付けるようにしているが、その噴射角度の調整は意外に難しく、その調整が不適切であるとロール紙の始端側縁部が浮き上がらないばかりでなく、これを押さえ付けてしまうような逆の作用を起こし兼ねない。
【００１１】
本発明は以上のような事情に鑑みて成されたものであり、その主たる目的は始端が外層表面に固着されたロール紙の前処理用として、係るロール紙の外層部をその幅方向に沿って確実に切断することのできる装置を提供することにある。
【課題を解決するための手段】
【００１２】
本発明は上記目的を達成するため、始端が少なくともその側縁部を除いて外層表面に固着されているロール紙の外層部をその幅方向に切断するロール紙の切断解紙装置において、前記ロール紙を回転させるロール紙回転手段と、このロール紙回転手段により巻取方向とは逆の巻戻方向に回転される前記ロール紙の外層側縁部に先端部を摺接させて該先端部が前記ロール紙の始端位置からその最外層下に挿入される篦状の滑走板を有して前記ロール紙の幅方向に移動可能に設けられるカッタヘッドと、前記滑走板の先端部上に差し掛かったロール紙を検出して前記ロール紙回転手段を停止させるためのセンサとを備え、前記カッタヘッドは滑走板の先端部より後方にカッタブレードを配するためのブレード取付部を有して前記ロール紙回転手段の停止後に滑走板の先端部がロール紙の最外層下に挿入された状態のままロール紙の幅方向に移動して前記滑走板の先端部後方に配されたカッタブレードでロール紙の外層部を切断することを特徴とする。
【００１３】
又、以上のようなロール紙の切断解紙装置において、前記滑走板はその先端部より後方に隆起部を有し、前記カッタヘッドには前記カッタブレードによるロール紙の巻戻方向側の切断縁を前記隆起部との間に挟み込んでその切断縁をロール紙の外層表面上に立ち上げる癖付部材が設けられることを特徴とする。
【００１４】
又、前記滑走板が導電性を有すると共に、前記センサは滑走板の先端部に接触する通電用の接触子を有した接触型であって、その接触子が滑走板の先端部上に差し掛かったロール紙により撓められて滑走板から離間するような弾力性を有していることを特徴とする。
【００１５】
更に、前記ロール紙の外層側縁部に加圧接触されて前記滑走板の先端部がロール紙の最外層下に挿入される前にロール紙の始端側縁部を捲り上げる始端捌き手段を備えることを特徴とする。
【発明の効果】
【００１６】
本発明によれば、カッタヘッドがロール紙内に挿入される滑走板とカッタブレードを配するブレード取付部とを一体化した構成であるから、滑走板を可及的薄くして、ロール紙を破断することなく該ロール紙に対して滑走板の先端部を確実に挿入しながら、ブレード取付部に配されたカッタブレードにより滑走板上におけるロール紙の最外層のみを幅方向に切断することができる。
【００１７】
又、滑走板がその先端部より後方に隆起部を有すると共に、カッタヘッドにはカッタブレードによるロール紙の巻戻方向側の切断縁を隆起部との間に挟み込んでその切断縁をロール紙の外層表面上に立ち上げる癖付部材が設けられることから、切断後のロール紙の繰出を容易かつ円滑に行えるようになる。
【００１８】
更に、ロール紙に対する滑走板の挿入を接触型のセンサで検出するようにしていることから誤検出を起こす虞れが少なく、しかもロール紙の側縁部に加圧接触する始端捌き手段によりロール紙の始端を捲り上げて滑走板の挿入が一段と確実に行えるようになるという効果を得る。
【発明を実施するための最良の形態】
【００１９】
以下、本発明を図面に基づいて詳しく説明する。図１は本発明に係るロール紙の切断解紙装置を含んで構成されるロール紙用仕立処理システムを示した側面概略図である。
【００２０】
図１において、１は仕立処理するロール紙が載せられる昇降台（ロール紙回転手段）であり、この昇降台１にはロール紙Ｒを回転自在に支持する転動ローラ１Ａが設けられ、その転動ローラ１Ａが図示せぬモータにより正逆に回転駆動されるようにしてある。
【００２１】
又、昇降台１上には、ロール紙Ｒの配置領域を残して解紙装置本体２が設けられ、この解紙装置本体２により昇降台１に載せられたロール紙Ｒの外層部が図１０（Ｂ）のように幅方向に切断されるようになっている。これにより、ロール紙Ｒからは係る切断位置（図１０の切れ目Ｌ）における巻戻方向側の切断縁Ｃを繰出端として適当量の紙を繰出可能とされる。
【００２２】
尚、図１において、３はロール紙の繰出部分を支持する傾斜状のテーブルであり、その下方にはロール紙の繰出部分を吸着するための吸気装置４が設けられる。又、テーブル３の上方には切断兼タブ貼付ユニット５が設けられ、このユニット５により図１０（Ｃ）〜図１０（Ｅ）に示されるロール紙の繰出部分の切断、タブの貼付、及び両面テープの貼付が順に行われるようになっている。
【００２３】
図２は切断解紙装置の主要部を成す解紙装置本体の側面図、図３は同解紙装置本体を部分的に破断して示した正面図である。これらの図において、６は上記の昇降台に載せられたロール紙Ｒの幅方向に移動可能なカッタヘッド、７はカッタヘッドをロール紙Ｒの幅方向に移動させるためのヘッド送り機構であり、そのヘッド送り機構７は昇降台１上でロール紙Ｒの軸心と平行する状態に固設されるガイドレール８と、そのガイドレールに摺動自在に嵌合するスライド９と、そのスライドにスペーサブロック１０を介して固定されるブラケット１１とを含んで構成され、そのブラケット１１にリニアガイド１２とスライド１３を介してカッタヘッド６が昇降自在に設けられる。
【００２４】
又、ガイドレール８を支持する桁材１４には無端のチェーン１５を支持するフレーム１６が取り付けられると共に、チェーン１５の一部にはブラケット１１の上端部が連結され、係るチェーン１５の走行駆動によりカッタヘッド６がロール紙Ｒの幅方向に移動する構成とされるが、本発明はこれを要件とするものでなく、チェーン駆動方式に代えて、送りネジや流体圧シリンダを用いてもよい。
【００２５】
尚、図２において、１７はカッタヘッドの位置検出を行う検出器であり、これは桁材１４の両端部に配されてカッタヘッド６がロール紙Ｒの一端部から他端部まで移動したときこれを検知してチェーン１５の駆動源を停止させる働きをする。
【００２６】
一方、ガイドレール８にはカッタヘッド６のほか、そのカッタヘッド６によるロール紙Ｒの切断解紙動作を支援するサポートユニット１８が連係される。係るサポートユニット１８は、ガイドレール８に摺動自在に嵌合するスライド１９と、そのスライドに対して固定される２つのブラケット２０，２１とを含み、それらブラケット２０，２１に連結器２２、センサ２３、及び加圧シリンダ２４（始端捌き手段）を取り付けて構成される。
【００２７】
このうち、連結器２２は流体圧シリンダで成り、その伸縮ロッドの伸長により該ロッド先端がカッタヘッド６を取り付けたブラケット１１の穴部に進入する構成とされる。この状態でカッタヘッド６に連動してサポートユニット１８がロール紙Ｒの幅方向に移動可能とされ、これによりロール紙Ｒの幅に応じてセンサ２３と加圧シリンダ２４の位置合わせを行えるようにしてある。
【００２８】
センサ２３は接触型（タッチセンサ）であり、その先端には所定の弾力と可撓性を有したピアノ線などの線状金属から成る接触子２３Ａが設けられる。
【００２９】
又、加圧シリンダ２４は本例において伸縮ロッドの縮小動作がバネの弾力により行われる単動形のエアシリンダで成り、係る伸縮ロッドの先端にはゴムなど高摩擦係数を有する捌き部材２４Ａが取り付けられる。そして、係る捌き部材２４Ａは、加圧シリンダ２４の伸長動作によりロール紙Ｒの外層側縁部に加圧接触されて該ロール紙の始端を捲り上げ、カッタヘッド６の部位をロール紙Ｒ内に確実に挿入させる働きをする。
【００３０】
ここで、カッタヘッドの構造を詳しく説明すると、図４及び図５に示すように、係るカッタヘッド６は市販のカッタブレード２５を取り付けるためのブレード取付部２６と、その下端に直交して一体に形成される篦状の滑走板２７とを具備して構成される。滑走板２７上に立ち上がるブレード取付部２６には斜面部２６Ａが形成され、その斜面部２６Ａ上にカッタブレード２５がその刃先を斜め上向きにして配置されるようになっている。又、斜面部２６Ａに隣接する側壁２６Ｂには、カッタブレード２５をその長さ方向に摺動させるための長孔２６Ｃが形成され、その長孔２６Ｃにブレード押え２８を介して固定ネジ２９の軸部２９Ａが挿入される構成としてある。
【００３１】
尚、本例において、カッタブレード２５は等間隔に折線が付けられたもので、その一端には固定ネジの軸部２９Ａを通す図示せぬ穴が穿設されている。そして、係るカッタブレード２５は先端が刃毀れする都度、その部分を除去しながら斜面部２６Ａの下方に固定位置をずらして滑走板２７の先端側に鋭利な刃先を位置付けることができる。
【００３２】
又、ブレード取付部２６の上端部において、その裏面側には上記したリニアガイド１２に嵌合するスライド１３が固定されると共に、表面側には滑走板２７の後端部上に延びるシャフト３０が固定され、そのシャフト３０に締金３１を介して癖付部材３２が取り付けられる。係る癖付部材３２は本例において棒鋼をＬ字形に屈曲したものであり、その下端部は滑走板２７の側面後端部（特に後述の隆起部）に隣接する位置まで延ばされている。
【００３３】
一方、滑走板２７はその先端部２７Ａがブレード取付部２６の前端面より突出されており、その先端部２７Ａに上記センサの接触子２３Ａが接触されるようにしてある。特に、滑走板の先端部２７Ａはロール紙の側縁部において始端Ｓの位置から最外層Ｒ１下に挿入させ得るよう厚さが０．１〜１ｍｍに設定され、それより後方側（本例において滑走板２７の後端部）には肉厚の隆起部２７Ｂが形成される。
【００３４】
又、滑走板２７の中央部先端側にはカッタブレード２５の下方側の一端部が差し込まれるスリット２７Ｃが形成されると共に、滑走板２７の上面にはその先端部より後方でカッタブレード２５の一端部を押え付けるための平板３３がビス留めされている。
【００３５】
そして、以上のように構成されるカッタヘッド６は、図６のように滑走板２７の先端部２７Ａがロール紙Ｒの外層側縁部に接触する位置に待機される。この状態でロール紙Ｒが昇降台の転動ローラ１Ａ（図１参照）によって巻取方向とは逆の巻戻方向（図６の矢印方向）に回転されるのであり、このとき滑走板の先端部２７Ａは昇降自在なカッタヘッド６の自重により所定の圧力でロール紙Ｒの外層側縁部に摺接される。更に、ロール紙Ｒの外層側縁部には滑走板２７より上流側で捌き部材２４Ａ（図２参照）が加圧接触される。
【００３６】
而して、ロール紙Ｒの始端Ｓが滑走板２７の位置に到達すると、滑走板の先端部２７Ａがロール紙の始端Ｓ位置（粘着テープが貼付されていない非固定の始端側縁部）からその最外層Ｒ１下に挿入されるが、その直前に捌き部材２４Ａが図７のようにロール紙の始端Ｓ側縁部を捌いて捲り上げ、滑走板２７の挿入が確実に行われるよう支援する。
【００３７】
又、このとき、滑走板の先端部２７Ａに接触されていたセンサの接触子２３Ａ（図５参照）はロール紙Ｒにより撓められ、滑走板２７との間にロール紙Ｒの外層側縁部が割り込むことを許容する。このため、接触子２３Ａは滑走板の先端部２７Ａから離間して電気絶縁性のロール紙Ｒに接触するようになる。
【００３８】
ここに、滑走板２７は導電性を有する金属などから形成されており、接触子２３Ａからは滑走板２７をアース側として微弱な電流が流される。従って、滑走板の先端部２７Ａ上にロール紙Ｒが差し掛かると、接触子２３Ａから滑走板２７に対する通電が遮断され、これにより滑走板の先端部２７Ａがロール紙Ｒ内に挿入されたことが検知される。その検知（センサからの無信号）が行われると、昇降台の転動ローラ１Ａが停止され、これにより支持されたロール紙Ｒの回転も停止される。
【００３９】
その後、滑走板の先端部２７Ａがロール紙の最外層Ｒ１の下に挿入された状態のまま、チェーン１５の走行駆動によりロール紙Ｒの幅方向に対するカッタヘッド６の移動が行われる。尚、カッタヘッド６の移動進路上にはセンサ２３が存在するが、係るセンサ２３は図２の想像線で示す如くカッタヘッド６の移動を阻害せぬ位置に退避可能とされ、カッタヘッド６の移動前には図示せぬ流体圧シリンダなどにより退避位置に移動される。
【００４０】
又、カッタヘッド６の移動に際しては、滑走板２７が先行してロール紙の最外層Ｒ１を浮かし、この部分を後続するカッタブレード２５が切断するのであり、このためロール紙Ｒを複数層に亙って切断してしまうことがなく、使用不能な汚損部分の発生を少なくできる。
【００４１】
更に、図８のようにカッタブレード２５で切断されたロール紙の外層部において、該ロール紙Ｒの巻戻方向側の切断縁Ｃは滑走板の隆起部２７Ｂにより大きく迫り上げられ、これが隆起部２７Ｂと癖付部材３２とで挟み込まれる。そして、その状態でカッタヘッド６がロール紙Ｒを切断しながらその幅方向へ移動することにより、係る切断縁Ｃは幅方向に亙って一連に折り曲げられ、これが図９のようにロール紙Ｒの外層表面上に立ち上げられる。これによれば、係る切断縁Ｃを図示せぬ把持装置により摘んで、図１に示したテーブル３上への繰出を滞りなく円滑に行うことができる。
【００４２】
以上、本発明について説明したが、本発明は上記例に限定されるものでなく、例えばロール紙回転手段として、転動ローラをもつ昇降台に代え、ロール紙の中心部を回転可能にチャッキングするようにしてもよい。
【図面の簡単な説明】
【００４３】
【図１】本発明に係るロール紙の切断解紙装置を示す側面概略図
【図２】同装置の主要部分を示す側面図
【図３】同装置の主要部分を部分的に破断して示した正面図
【図４】カッタヘッドの側面図
【図５】カッタヘッドの斜視図
【図６】ロール紙に対する滑走板の挿入前の状態を示す説明図
【図７】ロール紙に対する滑走板の挿入直前の状態を示す説明図
【図８】カッタブレードによるロール紙の切断時の状態を示す説明図
【図９】切断後のロール紙を示す斜視図
【図１０】ロール紙に対する仕立処理（紙継ぎ用前処理）を工程順に示した説明図
【符号の説明】
【００４４】
Ｒ  ロール紙
Ｓ  始端
１  昇降台（ロール紙回転手段）
２  解紙装置本体
６  カッタヘッド
２３  センサ
２３Ａ  接触子
２４  加圧シリンダ（始端捌き手段）
２４Ａ  捌き部材
２５  カッタブレード
２６  ブレード取付部
２７  滑走板
２７Ａ  滑走板の先端部
２７Ｂ  隆起部
３２  癖付部材
【図１】
2005349482.tif 000003
【図２】
2005349482.tif 000004
【図３】
2005349482.tif 000005
【図４】
2005349482.tif 000006
【図５】
2005349482.tif 000007
【図６】
2005349482.tif 000008
【図７】
2005349482.tif 000009
【図８】
2005349482.tif 000010
【図９】
2005349482.tif 000011
【図１０】
2005349482.tif 000012